(57)【特許請求の範囲】
【請求項１】
画像を各々表示可能な第１表示手段および第２表示手段を備える電子カメラにおいて、
フレーミング時には、撮像素子により得られた画像信号を前記第１表示手段に表示するとともに、撮影後には撮影画像信号を前記第２表示手段に表示するよう制御する表示制御手段を備えることを特徴とする電子カメラ。
【請求項２】
請求項１に記載の電子カメラであって、
前記第１表示手段が電子ビューファインダであり、前記第２表示手段が液晶ディスプレイであることを特徴とする電子カメラ。
【請求項３】
請求項１または請求項２に記載の電子カメラであって、
前記第２表示手段は前記第１表示手段よりも表示サイズが大きいことを特徴とする電子カメラ。
【請求項４】
請求項１に記載の電子カメラであって、さらに、
少なくとも前記第１または第２表示手段への電力供給量を低下させる省電力モードの制御を行う省電力制御手段と、
半押しおよび全押し可能なシャッターボタンと、
電源オン時、前記省電力モードからの復帰時および前記半押し時の少なくともいずれかの際には前記第１表示手段をオンし、前記全押し時には前記第１表示手段をオフするとともに前記第２表示手段をオンするオンオフ制御手段と、
を備えることを特徴とする電子カメラ。
【請求項５】
請求項１ないし請求項４のいずれかに記載の電子カメラであって、
記録用画像を生成する手段をさらに備え、
前記第２表示手段に表示される画像は記録用画像に対応していることを特徴とする電子カメラ。
【請求項６】
請求項１に記載の電子カメラであって、さらに、
半押しおよび全押し可能なシャッターボタンと、
前記シャッターボタンの全押しの後、所定期間操作がない場合に前記第１および第２表示手段をオフする表示オフ制御手段と、
を備えることを特徴とする電子カメラ。
【請求項７】
請求項１に記載の電子カメラであって、撮影に関する処理を行う撮影モードを少なくとも備えるものであり、さらに、
前記撮影モード開始時には前記第１表示手段のみをオンする表示オン制御手段を備えることを特徴とする電子カメラ。
【発明の詳細な説明】
【０００１】
【発明の属する技術分野】
この発明は、画像を各々表示可能な第１表示手段および第２表示手段を備える電子カメラに関する。
【０００２】
【従来の技術】
従来から、デジタルカメラやデジタルビデオカメラ等の電子カメラでは、２つの表示手段を持っているものが商品化されている。例えば、電子ビューファインダ（ＥＶＦ）と液晶ディスプレイ（ＬＣＤ）を備えるといった具合である。
【０００３】
【発明が解決しようとする課題】
ところで、上記のような電子カメラは、それら表示手段の切換スイッチを備え、どちらの表示手段を使うかはユーザーの選択に任されているため、ユーザーが必要に応じて表示手段を切り換える必要があり、操作性が悪かった。
【０００４】
この発明は、従来技術における上述の問題の克服を意図しており、操作性の良い電子カメラを提供することを目的とする。
【０００５】
【課題を解決するための手段】
上記の目的を達成するため、請求項１の発明は、画像を各々表示可能な第１表示手段および第２表示手段を備える電子カメラであって、フレーミング時には、撮像素子により得られた画像を前記第１表示手段に表示するとともに、撮影後には撮影された画像を前記第２表示手段に表示するよう制御する表示制御手段を備えている。
【０００６】
また、請求項２の発明は、請求項１に記載の電子カメラであって、前記第１表示手段が電子ビューファインダであり、前記第２表示手段が液晶ディスプレイである。
【０００７】
また、請求項３の発明は、請求項１または請求項２に記載の電子カメラであって、前記第２表示手段は前記第１表示手段よりも表示サイズが大きい。
【０００８】
また、請求項４の発明は、請求項１に記載の電子カメラであって、さらに、少なくとも前記第１または第２表示手段への電力供給量を低下させる省電力モードの制御を行う省電力制御手段と、半押しおよび全押し可能なシャッターボタンと、電源オン時、前記省電力モードからの復帰時および前記半押し時の少なくともいずれかの際には前記第１表示手段をオンし、前記全押し時には前記第１表示手段をオフするとともに前記第２表示手段をオンするオンオフ制御手段と、を備えている。
【０００９】
また、請求項５の発明は、請求項１ないし請求項４のいずれかに記載の電子カメラであって、記録用画像を生成する手段をさらに備え、前記第２表示手段に表示される画像は記録用画像に対応している。
【００１０】
また、請求項６の発明は、請求項１に記載の電子カメラであって、さらに、半押しおよび全押し可能なシャッターボタンと、前記シャッターボタンの全押しの後、所定期間操作がない場合に前記第１および第２表示手段をオフする表示オフ制御手段と、を備えている。
【００１１】
さらに、請求項７の発明は、請求項１に記載の電子カメラであって、撮影に関する処理を行う撮影モードを少なくとも備えるものであり、さらに、前記撮影モード開始時には前記第１表示手段のみをオンする表示オン制御手段を備えている。
【００１２】
【発明の実施の形態】
以下、この発明の実施形態について図面を参照しつつ説明する。
【００１３】
＜１．装置構成＞
図１〜図３は、本発明の実施形態に係るデジタルカメラ１の要部構成を示す図であり、図１は平面図、図２は図１のII−II位置から見た断面図、図３は背面図に相当する。これらの図は必ずしも三角図法に則っているものではなく、デジタルカメラ１の要部構成を概念的に例示することを主眼としている。
【００１４】
これらの図に示すように、デジタルカメラ１は、略直方体状のカメラ本体部２と撮像部３とに大別される構造である。
【００１５】
撮像部３は、撮影レンズであるマクロ機能付きレンズ群３０の後方位置の適所にＣＣＤカラーエリアセンサ３０３（以下「ＣＣＤ３０３」と略称する）を有する撮像回路３０２が設けられている。また、このレンズ群３０は、ズームレンズ３００と合焦レンズ３０１とを備えている。
【００１６】
一方、カメラ本体部２の内部には、ズームレンズ３００のズーム比の変更と収容位置、撮影位置間のレンズ移動を行うためのズーム用のモータＭ１、および合焦レンズ３０１を駆動して合焦を行うためのモータＭ２とが設けられている。
【００１７】
カメラ本体部２の前面には、グリップ部Ｇが設けられ、カメラ本体部２上端部の適所にポップアップ形式の内蔵フラッシュ５が設けられている。また、カメラ本体部２の上面にはシャッターボタン９が設けられている。
【００１８】
一方、図３に示すように、カメラ本体部２の背面には、略中央に後述するライブビュー表示、アフタービュー表示及び記録画像の再生表示等を行なうための液晶ディスプレイ（ＬＣＤ）１０と電子ビューファインダ（ＥＶＦ）２０とが設けられている。ＬＣＤ１０の大きさは横４cm、縦３cmのサイズである。またＥＶＦ２０は、横１．２cm縦０．９cmの液晶ディスプレイを接眼レンズにて拡大表示するものである。すなわち、ＬＣＤ１０はＥＶＦ２０よりその表示サイズが大きいものとなっている。また、このＬＣＤ１０およびＥＶＦ２０では、カラーで画像表示が行われる。
【００１９】
また、カメラ本体部２の背面には、「撮影モード」と「再生モード」とを切換設定する撮影／再生モード設定スイッチ１４が設けられている。撮影モードは、写真撮影を行なうモードであり、再生モードは、メモリカード８に記録された撮影画像をＬＣＤ１０に再生表示するモードである。なお、撮影／再生モード設定スイッチ１４は上下方向にスライド可能となっており、上側に位置すると撮影モード、下側に位置すると再生モードになるがそれらの真ん中に位置させると電源オフさせることができるものとなっている。そして、撮影モード時はＥＶＦ２０がオンされ、再生モードではＬＣＤ１０がオンとなる。
【００２０】
またＬＣＤ１０は視野角が広く、カメラの後方の左右上下どこからもその内容を確認できるように構成されているが、ＥＶＦ２０は表示素子そのものは筐体の奥にあり、その視認性が外光に左右されないような構成となっている。
【００２１】
ただし、撮影モードであっても、後述するようにアフタービュー表示時や各種設定を行うメニューモードに入った場合は、表示がＥＶＦ２０からＬＣＤ１０に切り替わり、そのモードから抜けた時点で元のＥＶＦ２０の表示に切り替わる。
【００２２】
デジタルカメラ１の背面右方には、４連スイッチ３５が設けられており、また、カメラ本体部２の背面には、確定ボタン３２、取消ボタン３３、およびメニューボタン３４が設けられている。そして、ボタンＬ，Ｒを押すことにより、モータＭ１が駆動しズーミングを行い、ボタンＵ，Ｄを押すことにより画像の露出補正を１／３ＥＶステップで−２ＥＶから＋２ＥＶの範囲で行うことができる。この場合は、メニューボタンを押したときとは異なり、ＥＶＦ２０を覗きながら操作を行うことでシャッターチャンスを逃がさない工夫がされている。その他、メニューボタンによりメニューモードに入った後はボタンＵ，Ｄ，Ｌ，Ｒで各種操作を行うことができる。
【００２３】
また、カメラ本体部２の側面には、外部モニタ端子２２２が設けられている。
この外部モニタ端子２２２は、デジタルカメラ１から外部モニタ２２３に画像データなどを伝送するための端子である。
【００２４】
図１に示すように、デジタルカメラ１はメモリカード８が装着されるようになっている。また、デジタルカメラ１は、４本の単三形乾電池Ｅ１〜Ｅ４を直列接続してなる電源電池Ｅを駆動源としている。
【００２５】
＜２．機能ブロック＞
図４は、デジタルカメラ１の機能ブロック図である。同図において、ＣＣＤ３０３は、レンズ群３０により結像された被写体の光像を、Ｒ（赤），Ｇ（緑），Ｂ（青）の色成分の画像信号（各画素で受光された画素信号の信号列からなる信号）に光電変換して出力する。タイミングジェネレータ３１４は、ＣＣＤ３０３の駆動を制御するための各種のタイミングパルスを生成するものである。
【００２６】
撮像部３における露出制御は、絞り制御ドライバ３０６によるレンズ群３０の絞りと、ＣＣＤ３０３の露光量、すなわち、シャッタスピードに相当するＣＣＤ３０３の電荷蓄積時間を調節して行なわれる。被写体輝度が低輝度時に適切なシャッタスピードが設定できない場合は、ＣＣＤ３０３から出力される画像信号のレベル調整を行なうことにより露光不足による不適正露出が補正される。すなわち、低輝度時は、シャッタスピードとゲイン調整とを組み合わせて露出制御が行なわれる。画像信号のレベル調整は、信号処理回路３１３内のＡＧＣ回路のゲイン調整において行なわれる。
【００２７】
タイミングジェネレータ３１４は、タイミング制御回路２０２から送信される基準クロックに基づきＣＣＤ３０３の駆動制御信号を生成するものである。タイミングジェネレータ３１４は、例えば積分開始／終了（露出開始／終了）のタイミング信号、各画素の受光信号の読出制御信号（水平同期信号，垂直同期信号，転送信号等）等のクロック信号を生成し、ＣＣＤ３０３に出力する。
【００２８】
信号処理回路３１３は、ＣＣＤ３０３から出力される画像信号（アナログ信号）に所定のアナログ信号処理を施すものである。信号処理回路３１３は、ＣＤＳ（相関二重サンプリング）回路とＡＧＣ（オートゲインコントロール）回路とを有し、ＣＤＳ回路により画像信号のノイズの低減を行ない、ＡＧＣ回路のゲインを調整することにより画像信号のレベル調整を行なう。
【００２９】
調光回路３０４は、フラッシュ撮影における内蔵フラッシュ５の発光量を全体制御部２１１により設定された所定の発光量に制御するものである。フラッシュ撮影においては、露出開始と同時に被写体からのフラッシュ光の反射光が調光センサ３０５により受光され、この受光量が所定の発光量に達すると、調光回路３０４から発光停止信号が出力され、この発光停止信号に応答して内蔵フラッシュ５の発光を強制的に停止し、これにより内蔵フラッシュ５の発光量が所定の発光量に制御される。
【００３０】
Ａ／Ｄ変換器２０５は、画像信号の各画素信号を１２ビットのデジタル信号に変換するものである。Ａ／Ｄ変換器２０５は、タイミング発生回路から入力されるＡ／Ｄ変換用のクロックに基づいて各画素信号（アナログ信号）を１２ビットのデジタル信号に変換する。
【００３１】
タイミングジェネレータ３１４、Ａ／Ｄ変換器２０５に対するクロックを生成するタイミング制御回路２０２が設けられている。タイミング制御回路２０２は、全体制御部２１１内の基準クロックにより制御される。
【００３２】
黒レベル補正回路２０６は、Ａ／Ｄ変換された画素信号の黒レベルを基準の黒レベルに補正するものである。また、ＷＢ（ホワイトバランス）回路２０７は、Ｒ，Ｇ，Ｂの各色成分の画素データのレベル変換を行なうものである。ＷＢ回路２０７は、全体制御部２１１から入力されるレベル変換テーブルを用いてＲ，Ｇ，Ｂの各色成分の画素データのレベルを変換する。なお、レベル変換テーブルの各色成分の変換係数（特性の傾き）（以下「ＷＢパラメータ」という）は全体制御部２１１により、オートまたはマニュアルで、撮影画像毎に設定される。
【００３３】
γ補正回路２０８は、画素データの階調を補正するものである。γ補正回路２０８では、一般パーソナルコンピュータ用のモニタが有するγ特性に対応した補正が行れることとなる。
【００３４】
画像メモリ２０９は、γ補正回路２０８から出力される画素データを記憶するメモリである。画像メモリ２０９は、１フレーム分の記憶容量を有している。すなわち、画像メモリ２０９は、ＣＣＤ３０３画素数に対応する１６００×１２００画素分の画素データの記憶容量を有し、各画素データが対応する画素位置に記憶されるようになっている。
【００３５】
ＶＲＡＭ２１０は、ＬＣＤ１０に表示される画像データのバッファメモリである。ＶＲＡＭ２１０は、ＬＣＤ１０の画素数（４００×３００）に対応した画像データの記憶容量を有している。
【００３６】
ＶＲＡＭ２２０は、ＥＶＦ２０に表示される画像データのバッファメモリである。ＶＲＡＭ２２０は、ＥＶＦ２０の画素数（６４０×４８０）に対応した画像データの記憶容量を有している。
【００３７】
また、撮影待機状態においては、撮像部３により１／３０秒毎に撮像された画像の各画素データがＡ／Ｄ変換器２０５〜γ補正回路２０８により所定の信号処理を施された後、画像メモリ２０９に一時記憶されるとともに、全体制御部２１１を介してＶＲＡＭ２２０に転送され、ＥＶＦ２０に表示される（ライブビュー表示）。
【００３８】
さらに、撮影直後においては、ライブビューの最後の画像、すなわち、シャッターボタンの全押し直前に画像メモリ２０９に記憶された画像データが全体制御部２１１を介してＶＲＡＭ２１０に転送され、ＬＣＤ１０に表示される（アフタービュー表示）。
【００３９】
なお、ＬＣＤ１０やＥＶＦ２０に画像以外の情報（例えば日付や露出補正の値等）を表示する場合には、全体制御部２１１が先のＶＲＡＭ２１０やＶＲＡＭ２２０に、その情報を加えた画像データを上書きするものとなっている。
【００４０】
これによって、ユーザは被写体像を視認することができる。また、再生モードにおいては、メモリカード８から読み出された画像が全体制御部２１１で所定の信号処理が施された後、ＶＲＡＭ２１０に転送され、ＬＣＤ１０に再生表示される。ＥＶＦ２０でも同様の表示が行われる。
【００４１】
カードＩ／Ｆ２１２は、メモリカード８への画像データの書込み及び画像データの読出しを行なうためのインターフィースである。また、通信用Ｉ／Ｆ２２４は、パーソナルコンピュータ２２５を通信可能に外部接続するための、例えばＵＳＢ規格に準拠したインターフェースである。
【００４２】
ＲＴＣ２１９は、撮影日時を管理するするための時計回路である。図示しない別の電源で駆動される。
【００４３】
操作部２５０は、上述したシャッターボタン９、確定ボタン３２などの各種スイッチ、ボタンなどで構成されている。
【００４４】
シャッターボタン９は、銀塩カメラで採用されているような半押し状態と押し込んだ状態とが検出可能な２段階スイッチになっている。待機状態でシャッターボタン９を半押し状態にすると、オートフォーカス（ＡＦ）、自動露出調整（ＡＥ）、ホワイトバランス調整（ＷＢ）が後述のようにして全体制御部２１１の制御のもとに行われる。
【００４５】
ＮＴＳＣ変換器２２１は、ＶＲＡＭ２２０に格納される画像信号を、ＮＴＳＣ方式に信号変換を行い、ＥＶＦ２０と、外部モニタ端子２２２を介して外部モニタ２２３とに転送する。従って、外部モニタ２２３を外部モニタ端子に接続した状態では、ＥＶＦ２０と同一の画面が表示される。
【００４６】
全体制御部２１１は、ＤＲＡＭからなるワークＲＡＭ２１１ａ、フラッシュＲＯＭ２１１ｂを内蔵したマイクロコンピュータからなり、上述したカメラの各部材の駆動を有機的に制御してデジタルカメラ１の撮影動作を統括制御するものである。
【００４７】
図５は、全体制御部２１１内のＣＰＵやメモリの全体によって実現される内部機能を示すブロック図である。この全体制御部２１１は、露出制御値（シャッタスピード（ＳＳ）と絞り値）を設定するための輝度判定部２１１ｄと露光量設定部２１１ｅとを備えている。
【００４８】
さらに、全体制御部２１１は、上記撮影画像の記録処理を行なうために、フィルタリング処理を行なうフィルタ部２１１ｆと、サムネイル画像及び圧縮画像を生成する記録画像生成部２１１ｇとを備え、メモリカード８に記録された画像をＬＣＤ１０やＥＶＦ２０に再生するために、再生画像を生成する再生画像生成部２１１ｈを備えている。
【００４９】
上記のフィルタ部２１１ｆは、デジタルフィルタにより記録すべき画像の高周波成分を補正して輪郭に関する画質の補正を行なうものである。
【００５０】
記録画像生成部２１１ｇは、画像メモリ２０９から画素データを読み出してメモリカード８に記録すべきサムネイル画像と圧縮画像とを生成する。記録画像生成部２１１ｇは、画像メモリ２０９から横方向と縦方向の両方向でそれぞれ８画素毎に画素データを読み出し、順次、メモリカード８に転送することで、サムネイル画像を生成しつつメモリカード８に記録する。
【００５１】
また、記録画像生成部２１１ｈは、画像メモリ２０９から全画素データを読み出し、これらの画素データに２次元ＤＣＴ変換、ハフマン符号化等のＪＰＥＧ方式による所定の圧縮処理を施して圧縮画像の画像データを生成し、この圧縮画像データをメモリカード８の本画像エリアに記録する。
【００５２】
全体制御部２１１は、撮影モードにおいて、シャッターボタン９により撮影が指示されると、撮影指示後に画像メモリ２０９に取り込まれた画像のサムネイル画像と設定された圧縮率によりＪＰＥＧ方式により圧縮された圧縮画像とを生成し、撮影画像に関するタグ情報（コマ番号、露出値、シャッタスピード、圧縮率、撮影日、撮影時のフラッシュのオンオフのデータ、シーン情報、画像の判定結果等）等の情報とともに両画像をメモリカード８に記憶する。
【００５３】
デジタルカメラ１によって記録された画像の各コマはタグの部分とＪＰＥＧ形式で圧縮された高解像度の画像データ(（１６００×１２００）画素)とサムネイル表示用の画像データ（８０×６０）画素)が記録されている。
【００５４】
撮影／再生モード設定スイッチ１４を再生モードに設定したときには、メモリカード８内のコマ番号の最も大きな画像データが読み出され、再生画像生成部２１１ｈにてデータ伸張され、これがＶＲＡＭ２１０、２２０に転送されることにより、ＬＣＤ１０やＥＶＦ２０には、コマ番号の最も大きな画像すなわち直近に撮影された画像が表示される。ボタンＵを操作することにより、コマ番号の大きな画像が表示され、ボタンＤを押すことによりコマ番号の小さな画像が表示される。
【００５５】
また、全体制御部２１１は各部への電力供給を制御可能で、電力制御のモードとして省電力モードと通常電力モードとを備えている。通常電力モードは各部への電力供給および全体制御部２１１の動作クロックが通常通りであるモードであり、省電力モードはＬＣＤ１０およびＥＶＦ２０以外の部分には通電したまま、ＬＣＤ１０およびＥＶＦ２０をオフ（電力供給を遮断）するモードである。
【００５６】
全体制御部２１１は、撮影モードにおいて、シャッターボタン９により撮影が指示されると、撮影指示後に画像メモリ２０９に取り込まれた画像のサムネイル画像と設定された圧縮率によりＪＰＥＧ方式により圧縮された圧縮画像とを生成し、撮影画像に関するタグ情報（コマ番号、露出値、シャッタスピード、圧縮率、撮影日、撮影時のフラッシュのオンオフのデータ、シーン情報、画像の判定結果等）等の情報とともに両画像をメモリカード８に記憶する。
【００５７】
図６はメモリカード８のデータ配列を示す図である。メモリカード８は、図６に示すように、デジタルカメラ１によって記憶された画像を、圧縮率１／２０で２３０コマの画像分記憶可能であり、各コマは、タグ情報の部分と、ＪＰＥＧ形式で圧縮された高解像度の画像信号（６４０×４８０画素）とサムネイル表示用の画像信号（８０×６０画素）が記録されている。各コマ単位で、例えばＥＸＩＦ形式の画像ファイルとして扱うことが可能である。
【００５８】
＜３．撮影モードにおける制御＞
図７はデジタルカメラ１の制御概要を示すフローチャートである。以下、デジタルカメラ１の制御概要について説明する。なお、特に断らない限り、以下の制御は全体制御部２１１により行われる。
【００５９】
まず、電源がオンされた直後、撮影／再生モード設定スイッチ１４の切り換え（再生モードから撮影モードへの移行または撮影モードから再生モードへの移行）直後、何らかの操作によって省電力モードから復帰した直後のいずれかの状態である初期状態において、撮影／再生モード設定スイッチ１４が撮影モードに設定されているか否かを判定し（ステップＳ１）、撮影モードでなければステップＳ２に進み、撮影モードであればステップＳ４に進む。
【００６０】
なお、初期状態においてはＬＣＤ１０およびＥＶＦ２０はいずれもオフされている。また、電源がオンされた直後、再生モードから撮影モードへの移行直後、何らかの操作によって省電力モードから撮影モードに復帰した直後のそれぞれが、この発明における撮影モード開始時に相当する。
【００６１】
そして、ステップＳ１の判定で撮影モードが設定されていなかった場合には、再生モードが設定されているので、ＬＣＤ１０のみをオン（通電）し（ステップＳ２）、再生モードの処理を実行する（ステップＳ３）。
【００６２】
逆に、ステップＳ１の判定で撮影モードであると判定された場合には、ＥＶＦ２０のみをオンし（ステップＳ４）、ＥＶＦ２０に対するライブビュー表示を開始するとともに、撮影モードの処理（撮影処理）を実行する（ステップＳ５）。以上が、デジタルカメラ１の制御概要である。
【００６３】
つぎに、撮影処理についてより詳細に説明する。
【００６４】
図８は撮影処理時のＬＣＤ１０とＥＶＦ２０との表示状態の遷移を示す図である。この実施形態における撮影モードでは、ライブビュー表示時には図８（ａ）のようにＥＶＦ２０でライブビュー画像を表示し、アフタービュー表示時には図８（ｂ）のようにＬＣＤ１０で撮影画像を表示する。
【００６５】
図９および図１０はこの実施形態における撮影処理手順を示すフローチャートである。以下、撮影処理の詳細について説明する。なお、ここでも、特に断らない限り、以下の制御は全体制御部２１１により行われる。
【００６６】
撮影処理においては、まず、シャッターボタン９が撮影者によって半押しされたか否かの判定を行い（図９：ステップＳ１１）、半押しされていなければ撮影処理を終了し、半押しされていれば次のステップに進む。
【００６７】
つぎに、ＥＶＦ２０がオフ（電力供給が遮断）されているか否かを判定し（図９：ステップＳ１２）、オンされていればステップＳ１５に進み、オフされていればＥＶＦ２０をオンするとともにＬＣＤ１０をオフする（図９：ステップＳ１３）。
【００６８】
つぎに、ＡＦ、ＡＥおよびＡＷＢの設定を行う（図９：ステップＳ１５）。
【００６９】
つぎに、ライブビュー表示において最後に表示した画像データを画像メモリ２０９に保持する（図９：ステップＳ１６）。すなわち、前述のように、ライブビュー表示の際にはＣＣＤ３０３により得られ、所定の処理を行った後の画像データが順次記憶されていくが、そのうちのシャッターボタン９の全押し直前に記憶された画像データを消去しないで保持する。
【００７０】
つぎに、シャッターボタン９が撮影者によって全押しされているか否かを判定し（図９：ステップＳ１７）、全押しされていなければ、全押しを待ってステップＳ１６およびＳ１７を繰り返す。逆に全押しされていた場合には次のステップに進む。
【００７１】
つぎに、ＬＣＤ１０がオンか否かを判定し（図１０：ステップＳ１８）、オフであればＬＣＤ１０をオンして（ステップＳ１９）、次のステップに進み、オンである場合にはそのまま次のステップに進む。
【００７２】
つぎに、ＥＶＦ２０をオフする（図１０：ステップＳ２０）。これにより、シャッターボタン９全押し時にはＬＣＤ１０がオンされ、ＥＶＦ２０がオフされた状態となる。
【００７３】
つぎに、ステップＳ１６で画像メモリ２０９に保存されていた画像データをＬＣＤ１０に表示するアフタービュー表示を行い（図１０：ステップＳ２１）、それとともに所定の記録操作があれば、その画像データを撮影画像としてメモリカード８に記録する（図１０：ステップＳ２２）。なお、所定の画像削除操作があった場合には画像データはメモリカード８に記録されない。これにより、アフタービュー表示の確認により撮影結果に満足できなかった場合などには、記録動作を行わないで撮り直しが行える。
【００７４】
つぎに、所定期間、操作がないか否かを判定し（図１０：ステップＳ２３）、操作があれば、その操作に対応した処理を行い（図１０：ステップＳ２４）、その処理が終了するとステップＳ１１（図９）に戻り、撮影を繰り返すことができる。なお、ステップＳ２３における操作とは、電源オフ操作、モード切り換え操作以外の操作のうち、撮影に関係する操作を指す。
【００７５】
ただし、ステップＳ２４では、ステップＳ２０およびＳ２１によりＬＣＤ１０がオンされ、ＥＶＦ２０がオフされた状態であるので、ステップＳ１１（図９）に戻り、ステップＳ１２（図９）では、ＥＶＦ２０がオフであると判定されるため、ステップＳ１３（図９）においてＬＣＤ１０がオフされるとともにＥＶＦ２０がオンされ、以降の処理が上記と同様に繰り返される。
【００７６】
逆に、ステップＳ２３において所定期間、上記操作がないと判定された場合にはＥＶＦ２０およびＬＣＤ１０をオフし（図１０：ステップＳ２５）て、省電力モードに移行する。なお、ステップＳ２３およびＳ２５と同様に、再生モードにおいても所定期間、電源オフ操作、モード切り換え操作以外の操作のうち、再生に関する操作がない場合には省電力モードに移行する。
【００７７】
以上で、撮影処理が終了する。
【００７８】
以上説明したように、この発明の実施形態によれば、ライブビュー時（フレーミング時）には、ＣＣＤ３０３により得られた画像をＥＶＦ２０に表示するとともに、アフタービュー時（撮影後）には撮影画像をＬＣＤ１０に表示するため、操作性が良い。
【００７９】
また、ＥＶＦ２０およびＬＣＤ１０は、それぞれ、撮影範囲の確認とピント確認に適している。
【００８０】
また、ＬＣＤ１０はＥＶＦ２０よりも表示サイズが大きいため、とりわけ、ピント確認など、撮影後に精密な確認を行うことができる。
【００８１】
また、撮影モード開始時の状態を含む初期状態または半押し時にはライブビュー表示を行うＥＶＦ２０をオンし、撮影画像を確認すべき全押し時にはＥＶＦ２０をオフするとともにアフタービュー表示を行うＬＣＤ１０をオンするため、操作性が良好であるとともに、全押し時に不要なＬＣＤ１０による電力消費を抑えることができる。
【００８２】
また、ライブビュー時にＥＶＦ２０に最後に表示された画像を、アフタービュー時にＬＣＤ１０に表示するため、メモリカード８に記録された画像データを読み出して表示する場合に比べて、高速に表示を切り換えることができる。
【００８３】
また、シャッターボタン９の全押しの後、所定期間操作がない場合にＥＶＦ２０およびＬＣＤ１０をオフするため、電力消費を抑えることができる。
【００８４】
さらに、撮影モード開始時の状態を含む初期状態においてはＥＶＦ２０のみをオンするため、ライブビュー表示時に不要なＬＣＤ１０をオンしないので、操作性を損なうことなく電力消費を抑えることができる。
【００８５】
＜４．変形例＞
上記実施形態において電子カメラの例としてデジタルカメラを示したが、この発明はこれに限定されるものではない。
【００８６】
例えば、電子カメラとしてはデジタルカメラ（デジタルスチルカメラ）以外にスチル撮影モードを有するデジタルビデオカメラであってもよく、その場合にも２つの表示手段を備え、それらを図７のフローチャートにおけるＥＶＦ２０とＬＣＤ１０のように切り換えるものとすればよい。
【００８７】
また、上記実施形態では、省電力モードにおいてＬＣＤ１０およびＥＶＦ２０をオフするものとしたが、完全にオフするのではなく、それらへの供給電力を抑えるものとしてもよく、さらにはＣＣＤ３０３等、最低限の動作に必要ない部分への電力供給を抑えたりオフしたりしてもよい。
【００８８】
【発明の効果】
以上説明したように、請求項１ないし請求項７の発明によれば、フレーミング時には、撮像素子により得られた画像信号を第１表示手段に表示するとともに、撮影後には撮影画像信号を第２表示手段に表示するよう制御するため、操作性が良い。
【００８９】
また、特に請求項２の発明によれば、第１表示手段が電子ビューファインダであり、第２表示手段が液晶ディスプレイであるため、それぞれ、撮影範囲の確認とピント確認に適している。
【００９０】
また、特に請求項３の発明によれば、第２表示手段は第１表示手段よりも表示サイズが大きいため、ピント確認など、撮影後に精密な確認を行うことができる。
【００９１】
また、特に請求項４の発明によれば、電源オン時、省電力モードからの復帰時および半押し時の少なくともいずれかの際にはライブビュー表示を行う第１表示手段をオンし、全押し時には第１表示手段をオフするとともにアフタービュー表示を行う第２表示手段をオンするため、操作性が良好であるとともに、全押し時に不要な第１表示手段による電力消費を抑えることができる。
【００９２】
また、特に請求項５の発明によれば、第２表示手段に表示される画像が記録用画像に対応しているため、撮影後に記録用画像を確認することができる。
【００９３】
また、特に請求項６の発明によれば、シャッターボタンの全押しの後、所定期間操作がない場合に第１および第２表示手段をオフするため、電力消費を抑えることができる。
【００９４】
また、特に請求項７の発明によれば、撮影モード開始時には第１表示手段のみをオンするため、第１表示手段でライブビュー表示を行っている間は第２表示手段を使用することはないので、操作性を損なうことなく電力消費を抑えることができる。
【図面の簡単な説明】
【図１】本発明の実施形態に係るデジタルカメラの要部構成を示す平面図である。
【図２】図１のII−II位置から見た断面図である。
【図３】本発明の実施形態に係るデジタルカメラの要部構成を示す背面図である。
【図４】本発明の実施形態に係るデジタルカメラの機能ブロック図である。
【図５】全体制御部内のＣＰＵやメモリの全体によって実現される内部機能を示すブロック図である。
【図６】メモリカードのデータ配列を示す図である。
【図７】デジタルカメラの概略制御フローチャートである。
【図８】撮影処理時のＬＣＤとＥＶＦとの表示状態の遷移を示す図である。
【図９】撮影処理手順を示すフローチャートである。
【図１０】撮影処理手順を示すフローチャートである。
【符号の説明】
１  デジタルカメラ
９  シャッターボタン
１０  ＬＣＤ（第２表示手段）
１４  撮影／再生モード設定スイッチ
２０  ＥＶＦ（第１表示手段）
２０９  画像メモリ
２１１  全体制御部（表示制御手段、省電力制御手段、オンオフ制御手段、撮影後表示制御手段、表示オフ制御手段、表示オン制御手段）
３０３  ＣＣＤ（撮像素子）
【図１】
0003697489.tif 000002
【図２】
0003697489.tif 000003
【図３】
0003697489.tif 000004
【図４】
0003697489.tif 000005
【図５】
0003697489.tif 000006
【図６】
0003697489.tif 000007
【図７】
0003697489.tif 000008
【図８】
0003697489.tif 000009
【図９】
0003697489.tif 000010
【図１０】
0003697489.tif 000011